(57)【要約】  太陽電池の設置時にしわが寄ることを防止することができる太陽電池の取付具を提供する。  本発明の太陽電池の取付具１Ａは、可撓性を有する平板状の太陽電池２の設置対象Ｗに固定される係止部材３と、太陽電池２の端部２ａに設けられ、係止部材３に係止される被係止部材４とを備え、係止部材３及び被係止部材４の少なくともいずれか一方には、被係止部材４を係止部材３に対して太陽電池２の板面２ｓに沿う方向に相対的に変位可能に固定する固定手段５が設けられている。【選択図】図１Ａ
2017038106.tif 000002
【特許請求の範囲】
【請求項１】
可撓性を有する平板状の太陽電池の設置対象に固定される係止部材と、
前記太陽電池の端部に設けられ、前記係止部材に係止される被係止部材とを備え、
前記係止部材及び前記被係止部材の少なくともいずれか一方には、前記被係止部材を前記係止部材に対して前記太陽電池の板面に沿う方向に相対的に変位可能に固定する固定手段が設けられている太陽電池の取付具。
【請求項２】
前記固定手段は、前記太陽電池の板面に沿う方向に平行に連続的に延びる１又は複数の長孔又は前記方向に間欠的に配列された複数の孔が形成された係止部材の壁部と、
少なくとも前記孔の一つに挿通され、前記被係止部材の前記係止部材に対する位置を決めた箇所において前記被係止部材と前記係止部材とを固定する固定具とを備えている請求項１に記載の太陽電池の取付具。
【請求項３】
前記固定具は、前記長孔又は孔に引き抜き不能に挿通及び固定可能な構造を有する棒状又は紐状部材となっている請求項２に記載の太陽電池の取付具。
【請求項４】
前記被係止部材は、前記太陽電池の端部に設けられた状態で前記太陽電池の板面に沿う方向に厚さを有する厚肉部を備え、
前記固定手段は、厚さ方向に雌ネジ孔を形成した前記厚肉部と、前記雌ネジ孔に螺合する雄ネジ部を有する固定具とを備えている請求項１又は２に記載の太陽電池の取付具。
【請求項５】
前記被係止部材は、前記太陽電池から取り出された電極端子と電気的に接続される配線を有した端子ボックスであり、
前記係止部材は、前記端子ボックスを保持して固定する枠体である請求項１から４のいずれか一項に記載の太陽電池の取付具。
【請求項６】
前記被係止部材は、前記太陽電池から取り出された電極端子と電気的に接続される配線を有した端子ボックスを保持する枠体であり、
前記係止部材は、前記枠体を前記板面に沿う方向に相対的に変位可能に固定させるとともに、前記設置対象に固定される取付台である請求項１に記載の太陽電池の取付具。
【発明の詳細な説明】
【技術分野】
【０００１】
本発明は、太陽電池の取付具に関する。
本願は、２０１５年９月４日に日本に出願された特願２０１５−１７５２０９号及び２０１６年１月１９日に日本に出願された特願２０１６−００８３５８号に基づき優先権を主張し、その内容をここに援用する。
【背景技術】
【０００２】
近年、化石燃料に代わるクリーンエネルギーの発電装置の一つとしてシリコン型又は色素増感型の太陽電池が開発されている。太陽電池は、その用途が広がり得る可撓性を有するパネル型のものが注目されている。（例えば下記特許文献１）。
特許文献１に示すように、従来の太陽電池は、パネルの端部を保持する保持部材等の取付具を介して設置対象となる場所に設置されている。
【先行技術文献】
【特許文献】
【０００３】
【特許文献１】特開２０１２−１９１１２４号公報
【発明の概要】
【発明が解決しようとする課題】
【０００４】
しかし、従来の太陽電池の取付具により可撓性を有する太陽電池を設置対象に設置した場合、設置寸法の誤差等によりしわが寄ることがあった。この太陽電池のしわは、美観を損ねるだけでなく、しわに塵埃類が溜まり易くなり、太陽電池表面に溜まった塵埃類が受光の妨げとなるため、発電効率を下げるという問題があった。
そこで、本発明は、太陽電池の設置時にしわが寄ることを防止することができる太陽電池の取付具を提供する。
【課題を解決するための手段】
【０００５】
本発明の太陽電池の取付具は、可撓性を有する平板状の太陽電池の設置対象に固定される係止部材と、前記太陽電池の端部に設けられ、前記係止部材に係止される被係止部材とを備え、前記係止部材及び前記被係止部材の少なくともいずれか一方には、前記被係止部材を前記係止部材に対して前記太陽電池の板面に沿う方向に相対的に変位可能に固定する固定手段が設けられている。
本発明の固定手段は、前記太陽電池の板面に沿う方向に被係止部材を係止部材に対して相対的に変位可能に固定できるため、太陽電池にしわが生じないように張った位置で太陽電池を係止部材に固定することができる。【０００６】
本発明の前記固定手段は、前記太陽電池の板面に沿う方向に平行に連続的に延びる１又は複数の長孔又は前記方向に間欠的に配列された複数の孔が形成された係止部材の壁部と、少なくとも前記孔の一つに挿通され、前記被係止部材の前記係止部材に対する位置を決めた箇所において前記被係止部材と前記係止部材とを固定する固定具とを備えていてもよい。
本発明は、太陽電池にしわが寄らないピンと張った状態で、固定具によって被係止部材を係止部材に留められる孔又は孔の位置を選択することができる。
また、太陽電池の端部に被係止部材を備えており、この被係止部材を係止部材に堅く係止させることができるため、太陽電池を張った状態で確実に固定することができる。【０００７】
本発明の前記固定具は、前記長孔又は孔に引き抜き不能に挿通及び固定可能な構造を有する棒状又は紐状部材となっている。
この構成により、太陽電池の張りを容易に調整することができる。【０００８】
本発明の前記被係止部材は、前記太陽電池の端部に設けられた状態で前記太陽電池の板面に沿う方向に厚さを有する厚肉部を備え、前記固定手段は、厚さ方向に雌ネジ孔を形成した前記厚肉部と、前記雌ネジ孔に螺合する雄ネジ部を有する固定具とを備えていてもよい。
本発明は、被係止部に形成された雌ネジ孔が太陽電池の板面に沿って形成されているため、雄ネジ部を有する固定具を雌ネジ孔に螺合させることで太陽電池の張りを調整することができる。【０００９】
本発明の前記被係止部材は、前記太陽電池から取り出された電極端子と電気的に接続される配線を有しした端子ボックスであり、前記係止部材は、前記端子ボックスを保持して固定する枠体であってもよい。
本発明は、上記いずれかの機能を有し且つ被係止部材を端部に備えた太陽電池を係止部材に設置することで太陽電池から電気を容易に取り出すことが可能となる。【００１０】
本発明の前記被係止部材は、前記太陽電池から取り出された電極端子と電気的に接続される配線を有した端子ボックスを保持する枠体であり、前記係止部材は、前記枠体を前記板面に沿う方向に相対的に変位可能に固定させるとともに、前記設置対象に固定される取付台であってもよい。
この構成によれば、太陽電池の張りの調整機構の自由度が高まる。
本発明の太陽電池の取付構造は、上記いずれかの太陽電池の取付具に太陽電池が取り付けられている。
本発明は、前記いずれかの機能を奏する。
【発明の効果】
【００１１】
本発明は、太陽電池の設置時に太陽電池にしわが寄ることを防止して良好な外観を維持することができ且つしわに塵埃類が溜まって透光率を低下させることによる発電効率の低下を防止することができるという効果を奏する。
【図面の簡単な説明】
【００１２】
【図１Ａ】本発明の第１実施形態として例示した太陽電池の取付具により、太陽電池を設置した状態を示す側面図である。
【図１Ｂ】本発明の第１実施形態として例示した太陽電池の取付具により太陽電池を設置した状態を示す正面図である。
【図２Ａ】本発明の第１実施形態として例示した太陽電池の取付具の係止部材を示した正面図である。
【図２Ｂ】本発明の第１実施形態として例示した太陽電池の取付具の係止部材を示した側面図である。
【図３Ａ】本発明の第１実施形態として例示した太陽電池の取付具の被係止部材を示した正面図である。
【図３Ｂ】本発明の第１実施形態として例示した太陽電池の取付具の被係止部材を示した側面図である。
【図４】本発明の第１実施形態として例示した太陽電池の取付具の係止部材の変形例を示した正面図である。
【図５Ａ】本発明の第２実施形態として例示した太陽電池の取付具により、太陽電池を設置した状態を示す側面図である。
【図５Ｂ】は、本発明の第２実施形態として例示した太陽電池の取付具の係止部材の一部を示した正面図である。
【図５Ｃ】本発明の第２実施形態として例示した太陽電池の取付具の係止部材の一部を示した底面図である。
【図５Ｄ】本発明の第２実施形態として例示した太陽電池の取付具の被係止部材の一部を示した正面図である。
【図６Ａ】本発明の第３実施形態として例示した太陽電池の取付具により、太陽電池を設置した状態を示す側面図である。
【図６Ｂ】本発明の第３実施形態として例示した太陽電池の取付具の係止部材を示した正面図である。
【図６Ｃ】本発明の第３実施形態として例示した太陽電池の取付具の係止部材の一部を示した底面図である。
【図７Ａ】本発明の第３実施形態として例示した太陽電池の取付具の被係止部材を示した正面図である。
【図７Ｂ】本発明の第３実施形態として例示した太陽電池の取付具の被係止部材を示した側面図である。
【図８】本発明の第１実施形態−第３実施形態の変形例を示す側面図である。
【図９】本発明の第１実施形態−第３実施形態の変形例の一部を係止部材側から視た図である。
【図１０】本発明の第１実施形態−第３実施形態の変形例の係止部材を示す図である。
【図１１】本発明の第１実施形態−第３実施形態の変形例の応用例を一部を省略して示した斜視図である。
【図１２】本発明の第１実施形態−第３実施形態の変形例の応用例の一部を拡大して示した側断面図である。
【図１３】本発明の第２実施形態の変形例を示す側面図である。
【発明を実施するための形態】
【００１３】
以下、図を参照して本発明の太陽電池の取付具及び太陽電池の取付構造の実施形態について説明する。
図１Ａおよび図１Ｂに示すように、太陽電池の取付構造Ｘは、太陽電池２を太陽電池の取付具１Ａに設置して構成されている。
第１実施形態の太陽電池の取付具１Ａは、太陽電池２の設置対象Ｗに固定され太陽電池２の端部２ａを保持する係止部材３と、太陽電池２の端部２ａに設けられ、係止部材３に係止される被係止部材４とを備えている。係止部材３及び被係止部材４の少なくともいずれか一方には、被係止部材４を係止部材３に対して太陽電池２の板面２ｓに沿う方向に相対的に変位可能に固定する固定手段５が設けられている。
【００１４】
本発明の適用対象となる太陽電池２としては、不図示の光電極と対極とを備え、可撓性を有する平板状のものであればどのようなものでも適用することができる。本実施形態では、略矩形の色素増感太陽電池を例として太陽電池の取付具１Ａ及び太陽電池の取付構造Ｘについて説明する。
【００１５】
係止部材３は、太陽電池２の端部２ａを保持した状態で太陽電池２の設置対象Ｗ、例えば建物の内壁や外壁等の壁部、に太陽電池２を固定するものである。係止部材３は、太陽電池２の互いに対向する辺に沿う端部２ａを保持する第１保持部材６と第２保持部材７とを備えている。
図２Ｂに示すように、第１保持部材６は、互いに対向する側壁部８ａ，８ｂと、これらの側壁部８ａ，８ｂ同士を連結する連結壁部９とを備え、側面視略Ｕ字状に形成されている。側壁部８ａ，８ｂと連結壁部９とにより溝部１０が形成されている。
【００１６】
図１Ａに示すように、第１保持部材６の一方の側壁部８ａは、不図示の接着テープ等により設置対象Ｗに固定される。
図２Ａに示すように、第１保持部材６のもう一方の側壁部８ｂには、図１に示すビス１１等（固定具）を挿通させて側壁部８ｂの板面方向に略移動不能にする貫通孔１２が長手方向の両端側に形成されている。
ビス１１は、図１Ａに示すように円板状の頭部１１ａと雄ネジ部１１ｂを有した胴部とを備えている。
係止部材３は、特に限定されないが、塩化ビニル樹脂等の合成樹脂等により形成されている。係止部材３は、可撓性を有していてもよい。
【００１７】
図２Ａおよび図２Ｂに示すように、第２保持部材７の側壁部８ｂには、貫通孔１２に代えて側壁部８ｂを厚さ方向に貫通し図１に示す太陽電池２の板面２ｓに沿って側壁部８ｂの短手方向に連続的に延びる長孔１３が形成されている。第２保持部材７は、貫通孔１２に代えて長孔１３が形成されている点を除いて、第１保持部材６と同材料により同形状に形成されている。
【００１８】
図３Ａおよび図３Ｂに示すように、被係止部材４は、図１Ｂに示す太陽電池２の端部２ａに取り付けられる第１縁部材１５と第２縁部材１６とを備えている。
第１縁部材１５は、図１Ｂに示す端部２ａ全体を挿入可能な長さで長尺に形成された略直方体形状の部材である。この第１縁部材１５及び第２縁部材１６は、太陽電池２の電気を取り出すことができる端子ボックスとなっていることが好ましい。
【００１９】
第１縁部材１５には、図１Ｂに示す端部２ａの断面寸法と略同じ寸法に形成された凹所１７が形成されている。
凹所１７を形成している長手方向に延びる一方の側壁１８側には、ビス１１を螺合させる雌ネジ孔１９が、凹所１７に達しない深さで形成されている。
【００２０】
第２縁部材１６は、第１縁部材１５と対称形状に形成されている。
被係止部材４は、特に限定されないが、変性ポリフェニレンエーテル等の合成樹脂等により形成されている。被係止部材４は、可撓性を有していてもよい。
以上の構成において、図１Ｂに示すように、長孔１３が形成された第２保持部材７の側壁部８ｂと、ビス１１と、ビス１１を固定する第２縁部材１６とが、第２縁部材１６を第２保持部材７に対して相対的に変位可能に固定する固定手段５を構成している。
【００２１】
次に、太陽電池の取付具１Ａを用いて太陽電池２を内壁等に取り付ける方法について説明する。
まず、図１Ｂに示すように、太陽電池２の端部２ａを、第１縁部材１５及び第２縁部材１６のそれぞれの凹所１７に挿入して、太陽電池２に被係止部材４を装着する。太陽電池２を被係止部材４に固定するために、接着剤や両面テープ等を使用してもよい。
【００２２】
係止部材３は、太陽電池２に取り付けた被係止部材４同士の間の方向の寸法を考慮して、設置対象Ｗに取り付ける。本実施形態では、第１保持部材６を設置し、第２保持部材７が第１保持部材６の下方に位置するように、第１保持部材６と第２保持部材７とを設置対象Ｗの表面に長手方向を水平方向に向けて設置する。
【００２３】
太陽電池２に取り付けた第１縁部材１５は、第１保持部材６の溝部１０に挿入し、ビス１１を図２Ａに示す貫通孔１２及び図３Ａに示す雌ネジ孔１９に挿入して、図１Ａに示すように被係止部材４を第１保持部材６の側壁部８ｂに本固定する。
図１Ａに示すように、第１縁部材１５に対向配置された第２縁部材１６は、第２保持部材７の溝部１０に挿入し、ビス１１を図２Ａに示す長孔１３に挿通するとともに図３Ａに示す雌ネジ孔１９に螺入し、第２保持部材７の側壁部８ｂを間に挟んだ状態でビス１１を第２縁部材１６に仮固定する。
【００２４】
この状態では、ビス１１は、第２縁部材１６に仮固定された状態となるが第２保持部材７の側壁部８ｂに形成された孔は長孔１３であるので、第２縁部材１６及び太陽電池２の端部２ａは第２保持部材７に対して、長孔１３が形成された方向に相対的に変位可能になっている。すなわち第２縁部材１６は、第２保持部材７に対して太陽電池２の板面２ｓに沿う方向で第２保持部材７の短手方向に変位可能な状態となっている。
【００２５】
したがって、第２縁部材１６に仮固定されたビス１１を第１保持部材６から離間する方向に引くことによって、可能な限り太陽電池２をしわの無いぴんと張った状態にし、その位置で仮固定したビス１１を更に螺入し、第２縁部材１６を第２保持部材７に本固定する。
【００２６】
以上のように、太陽電池の取付具１Ａは、設置対象Ｗに設置した係止部材３に被係止部材４を仮固定し、太陽電池２にしわが生じないように第２縁部材１６を第２保持部材７に対して相対的に位置調整した上で本固定をすることができる。したがって、本発明は、太陽電池２の設置の際の寸法誤差等により太陽電池２にしわを生じさせて太陽電池２の外観を損ねたり、しわに塵埃類が溜まることによって光の透過率を低下させ発電効率を下げたりすることを効果的に防止することができるという効果を奏する。
【００２７】
また、太陽電池２の端部２ａに被係止部材４を設け、この被係止部材４を係止部材３に固定する構成とすることにより、太陽電池２の各構成部分を損傷させることなく被係止部材４を係止部材３に強固に固定することができるという効果を奏する。
【００２８】
なお、第１実施形態において、第１保持部材６と第２保持部材７とは、孔の形状が異なる構成の場合を例示したが、図２Ａに示す第１保持部材６の貫通孔１２を第２保持部材７と同様の長孔１３として、第１保持部材６と第２保持部材７とを共通の構成としてもよい。
【００２９】
また、第１保持部材６及び／又は第２保持部材７には、貫通孔１２又は長孔１３に代えて図４に示すように溝部１０の開口方向に開口する切欠１４を形成してもよい。
かかる構成とすれば、ビス１１等の固定具を第１縁部材１５及び第２縁部材１６に仮固定した状態で、第１保持部材６の切欠１４と第２保持部材７の切欠１４とに切欠１４の開口からビス１１を挿入することが可能となるため、太陽電池の取付具１Ａへの太陽電池２の取り付けが容易となるという効果を奏する。
【００３０】
次に、本発明の第２実施形態の太陽電池の取付具１Ｂについて図５を用いて説明する。本実施形態において、第１実施形態の太陽電池の取付具１Ａと同一の構成については同一の符号を付しその説明を省略する。
【００３１】
本実施形態の太陽電池の取付具１Ｂは、固定手段３０が第１実施形態の太陽電池の取付具１Ａの固定手段５と異なっている。具体的には第２保持部材２０及び第２縁部材２１が第１実施形態の第２保持部材７及び第２縁部材１６の各構成と異なっている。
【００３２】
図５Ｂおよび図５Ｃに示すように、第２保持部材２０には、長孔の代わりに、ビス１１の断面寸法よりも僅かに大きく、実質的に移動不能な正円形の貫通孔２２が連結壁部９の両端部９ｍ，９ｎに連結壁部９の厚さ方向に貫通するように形成されている。
図５Ｄに示すように、被係止部材４の第２縁部材２１は、凹所１７が開口している面２３と反対側の面２４側が厚く形成された厚肉部２５を有している。厚肉部２５には、凹所１７が開口している面２３に向かって雌ネジ孔２６が形成されている。
【００３３】
太陽電池の取付具１Ｂに太陽電池２を取り付けるに当たっては、第１実施形態の場合と同様に、図５Ａに示すように第１保持部材６と第２保持部材２０とを設置対象Ｗに設置した後、第１縁部材１５を第１保持部材６に本固定する。
そして、図５Ｂおよび図５Ｃに示す第２保持部材２０の連結壁部９に形成された貫通孔２２に通したビス１１を雌ネジ孔２６に螺入することにより、第２保持部材２０に対して第２縁部材２１を引き寄せ、即ち第１縁部材１５から第２縁部材２１を離間させて太陽電池２にしわが寄らないように張った状態で留める。
【００３４】
このように、太陽電池の取付具１Ｂにおいては、貫通孔２２が形成された連結壁部９と、図１Ａに示す雄ネジ部１１ｂを有するビス１１と、雌ネジ孔２６が形成された第２縁部材２１とが固定手段３０を構成している。
太陽電池の取付具１Ｂは、ビス１１を雌ネジ孔２６に螺入することにより、太陽電池２の張りを容易に調整することができるという効果を奏する。
【００３５】
次に、本発明の第３実施形態の太陽電池の取付具１Ｃについて図６及び図７を用いて説明する。本実施形態において、第１実施形態又は第２の実施形態の太陽電池の取付具１Ａ，１Ｂと同一の構成については同一の符号を付しその説明を省略する。
【００３６】
図６Ａ−図６Ｃに示すように、本実施形態の太陽電池の取付具１Ｃは、第２実施形態の被係止部材４の変形例の被係止部材４０と、第１実施形態の係止部材３と第２実施形態の係止部材３とを組み合わせて応用した係止部材６０を備えている。
【００３７】
図７Ａに示すように、被係止部材４０は、図３Ａに示す第１縁部材１５の両端部１５ｍ，１５ｎを切り取って第１縁部材４１を構成した第１分割体４１ａ，４１ｂと、図５Ｄに示す第２縁部材２１の両端部２１ｍ，２１ｎを切り取って第２縁部材４２構成した第２分割体４２ａ，４２ｂとを備えている。
【００３８】
すなわち、第１分割体４１ａは、太陽電池２の一辺の角部３５を挿入することができる凹所４３と、凹所４３が形成された領域とずらして形成された図１Ａに示すビス１１を嵌入させる雌ネジ孔４４とが形成されている。
【００３９】
凹所４３は、中実の略直方体の部材の厚さ方向の中間部において、隣り合う２つの端面４６，４７に向かって開口する略矩形の空間を構成している。
雌ネジ孔４４は、太陽電池２の板面２ｓに対向させる凹所４３の面４８に直交する方向に形成されている。
第１分割体４１ｂは、第１分割体４１ａと左右対称に形成されている。
【００４０】
第２分割体４２ａは、第１縁部材４１が装着される角部３５に対向する角部３７を挿入することができる凹所５３と、ビス１１を嵌入させる雌ネジ孔５４が形成されている。
第２分割体４２ａの凹所５３も隣り合う２つの端面５６，５７に向かって開口する略矩形の空間を構成している。
図７Ｂに示すように、第２分割体４２ａには、凹所５３が開口している端面５６と反対側の面側５８に厚肉部５５が形成されている。厚肉部５５には、端面５６に向かって延びる雌ネジ孔５４が形成されている。
第２分割体４２ｂは、第２分割体４２ａと左右対称に形成されている。
【００４１】
図６Ａに示す係止部材６０は、図６Ｂに示すように側壁部８ｂの両端部６０ｍ，６０ｎにその長手方向に延びる長孔６２を形成した第１保持部材６３と、図６Ｃに示すように連結壁部９の両端部９ｍ，９ｎにこの連結壁部９の長手方向に延びる長孔６５を形成した第２保持部材６４とを備えている。
このように、太陽電池の取付具１Ｃにおいては、長孔６２が形成された側壁部８ｂと、ビス１１と、図７Ａに示す雌ネジ孔４４が形成された第１縁部材４１とが固定手段６６を構成している。また、長孔６５が形成された連結壁部９と、ビス１１と、図７Ａに示す雌ネジ孔５４が形成された第２縁部材４２とが固定手段６７を構成している。
【００４２】
以上の構成を有する太陽電池の取付具１Ｃを用いて太陽電池２を取り付けるには、先ず、図７Ａに示すように、太陽電池２の角部３５，３６に第１縁部材４１の第１分割体４１ａ，４１ｂを取り付け、これらの角部３５，３６に対向する角部３７，３８に第２分割体４２ａ，４２ｂを取り付ける。この際、第１分割体４１ａ，４１ｂの雌ネジ孔４４は、太陽電池２の受光面と側を向くようにする。第２分割体４２ａ，４２ｂは、雌ネジ孔５４が第１分割体４１ａ，４１ｂ方向に向かって延びる方向に向けて太陽電池２の残りの２つの角部３７，３８に装着する。
【００４３】
その後、第１分割体４１ａ，４１ｂをそれぞれ図６Ｂに示す第１保持部材６３の溝部１０に設置し、図６Ａに示すビス１１を長孔６２及び図７Ａに示す雌ネジ孔４４に挿入して仮固定する。
そして、第２分割体４２ａ，４２ｂは、図６Ａに示す第２保持部材６４の溝部１０に設置し、ビス１１を連結壁部９に形成された長孔６５に通し、更に図７Ｂに示す雌ネジ孔５４に螺入して仮固定する。
【００４４】
その上で、第１保持部材６３に仮固定したビス１１の一つを図６Ｂに示す長孔６２の長手方向の中間部で本固定する。第１保持部材６３のもう一方のビス１１は、本固定したビス１１から離間させ太陽電池２を第１保持部材６３の長手方向によれが無く張った状態にして本固定する。
【００４５】
図７Ａに示す第２分割体４２ａは、ビス１１の螺入を調整して変位させ、太陽電池２が第２保持部材６４の長手方向に直交する方向にしわが無く張った状態で本固定とする。図７Ａに示すもう一方の第２分割体４２ｂは、全体として太陽電池２にしわが生じないように、図６Ｂに示す第２保持部材６４の長手方向及びこれに直交する方向にビス１１の長孔６５における位置及びビス１１の螺入を調整して、太陽電池２の張りを調整し、その設置を完了する。
【００４６】
このように、太陽電池の取付具１Ｃは、太陽電池２を一方向及びこれに直交する方向に調整することができるため、太陽電池２におけるしわが発生することを最小限に抑えることができるという効果を奏する。
【００４７】
なお、第１実施形態の太陽電池の取付具１Ａと第３実施形態の太陽電池の取付具１Ｃにおいて、長孔１３，６２，６５を形成したが、長孔１３，６２，６５は、間欠的に複数配列してもよく又はできるだけ細かいピッチで長手方向に間欠的に配列した不図示の複数の正円の孔であってもよい。このように形成した複数の孔であっても、太陽電池２がしわ無くぴんと張った状態で被係止部材３，４０と係止部材４，６０との位置関係を調整することができる。
【００４８】
また、太陽電池の取付具１Ａ−１Ｃのいずれの係止部材３，６０についても、被係止部材４，４０を経由して太陽電池２の不図示の電極端子と電気的に接続し、他の太陽電池２と電気的に接続可能とする不図示の配線を備えたものであってもよい。
【００４９】
また、太陽電池の取付具１Ａ−１Ｃは、いずれも第１保持部材６，６３と第２保持部材７，２０，６４とを長手方向を水平方向にして互いに上下に位置するように設置する例を説明したが、太陽電池の取付具１Ａ−１Ｃの設置方法は、上記した例に限定されない。具体的には、第１保持部材６，６３及び第２保持部材７，２０，６４並びにこれらに係止させる第１縁部材１５，４１及び第２縁部材１６，２１，４２は、長手方向を垂直方向にして互いに左右に位置するように設置してもよく、その他の向きに互いに平行に設置しても構わない。
【００５０】
また、長孔１３等の長手方向の向きは、しわを伸ばしやすい方向に適宜形成すればよく、例えばＸ字状等にクロスさせた孔を形成してもよい。
【００５１】
また、上記各実施形態は、被係止部材４を構成する第２縁部材１６が係止部材３を構成する第２保持部材７に対して相対的に移動可能となっているが、本発明はこのような構成に限定されない。
具体的には、例えば図８に示すように、第２保持部材７を被係止部材（枠体）１００とし、この第２保持部材７と設置対象Ｗとの間に第２保持部材７を相対的に移動させる送りねじ（取付台）７０を設けた構成としてもよい。
本変形例において、取付台７０には例えば送りねじ７０を好適に用いることができる。
【００５２】
送りねじ７０には、図１０に示すように、設置対象Ｗ（図８参照）に取り付ける固定部７１と、固定部７１上を摺動可能なテーブル７３と、テーブル７３に形成された不図示の雌ネジ孔に螺入させる螺子７２とを備えた公知のものを用いることができる。螺子７２は、螺子頭がつまみ部７２ａとなっており、胴部が棒状の雄ネジ部７２ｂとなっている。テーブル７３は、図８に示す被係止部材１００を保持し、螺子７２の回転により被係止部材１００を変位及び固定させ得るようになっている。
【００５３】
送りねじ７０は、図８に示すように例えば鉛直方向（矢印Ｌ１）方向に第２保持部材７を変位させるように設定してもよく、又は図９に示すように水平方向（矢印Ｌ２）方向その他の方向に第２保持部材７を変位させるように設定してもよい。
以上の構成において、送りねじ７０は、係止部材１１０かつ固定手段１２０を構成していることになる。なお、送りねじ７０において、固定部７１を係止部材１００ととらえ、テーブル７３を被係止部材ととらえ、螺子７２を固定手段ととらえることもできる。
【００５４】
また、図８に示すように、第１保持部材６は、側壁部８ａの厚さ寸法を送りねじ７０の厚さ寸法分厚く形成するとよい（本変形例以降の変形例及び応用例においても同様）。
なお、図１０に示すように、固定部７１及びテーブル７３のいずれか一方には軸線７２ａに平行な溝７４（又は凸条７５）が形成され、同他方には溝７４（又は凸条７５）に嵌合する凸条７５（又は溝７４）等のガイド部Ｇが形成されているとよい。
【００５５】
以上のように、被係止部材１００と送りねじ７０とを備えた構成とすると、太陽電池２の張りを簡便に非常に細かく調整することができるという効果を奏する。
【００５６】
本変形例はまた、以下のように応用した構造とすることもできる。
すなわち、図１１に示すように、係止部材１１０に被係止部材１００を摺動させる溝７４を形成し、被係止部材１００に係止部材３の溝７４に対応する凸条７５を形成し、固定部を他の固定手段としてもよい。
具体的には、被係止部材１００に、この被係止部１００を係止部材１１０に固定する留め部７６を設ける方法が挙げられる。留め部７６は、Ｕ字状の第２の保持部材７の端部から突出し、ビス孔７７を有し、ビス孔７７に不図示のビス（固定具）を挿通させるようになっている。
【００５７】
以上の構成により、被係止部１００は、留め部７６のビス孔７７にビスを挿通させた上で、その先端を係止部材１１０にきつく押し付けるか又は係止部材１１０の肉を切り裂きながら螺入させる方法により、図８に示す係止部材１１０に固定できるようにしてもよい。
【００５８】
あるいは、図１１に示すように係止部材１１０にビス１１を挿通させる挿通孔７８を被係止部材４の移動方向に所定の間隔で形成し、留め部７６のビス孔７７及び挿通孔７８にビス１１を挿通させて固定するものであってもよい。
本変形例の応用例によっても、太陽電池２の張りを簡便に調整することができ、また調整部材として安価に製造することができるという効果を奏する。
【００５９】
又は、固定手段としては、図１１に示す固定手段に代えて、図１２に示すように、図１１に示す溝７４及び凸条７５の互いに対向する面に図８に示す太陽電池２を張る方向（矢印方向）にのみ被係止部材１００の摺動を許し、逆方向に摺動しようとすると互いに噛み合って摺動を許さない連続する凸部７９を形成したものであってもよい。
この場合、凸部７９が固定部を構成する。
なお、本変形例及びその応用例において、溝７４が被係止部材１００に形成され、凸条７５が、係止部材１１０に形成されてもよい。
【００６０】
また、図５に示す第２の実施形態に関連して、被係止部材４を第２保持部材２０の連結壁部９側へ引いて太陽電池２を張る方法としては、以下のような方法を採用することもできる。
具体的には、図１３に示すように、被係止部材４に紐状又は棒状の引っ張り部材９０を固定し、引っ張り部材９０を連結壁部９の孔２２に通して引き、太陽電池２を張った状態で連結壁部９を間に挟んで留め具９１等で留める方法を採用することもできる。留め具９１には、引っ張り部材９０を挟んでかしめる金属製のもの等を適宜用いることができる。この場合、連結壁部９の孔２２は、連結壁部９の長手方向（紙面奥行き方向）に延びる不図示の長孔に形成されたものであってもよい。
【００６１】
又は、図１２に例示したように、引っ張り部材９０の表面に太陽電池２を張る方向にのみ連結壁部９の孔２２への通過を許し、逆方向への通過を許さない不図示の凸部を形成し、太陽電池２を張る方向に引っ張り部材を引いて太陽電池２の張りを調整可能にしたものであってもよい。
そして、引っ張り部材９０は、被係止部材４の長手方向の両端部又は長手方向に間隔を空けて複数形成され、連結部材９の孔２２も引っ張り部材９０に対応して形成されていてもよい。
【産業上の利用可能性】
【００６２】
本発明は、太陽電池の設置の分野で広く利用可能である。
【符号の説明】
【００６３】
１Ａ，１Ｂ，１Ｃ  太陽電池の取付具
２    太陽電池
２ａ  端部
２ｓ  板面
３，１１０    係止部材
４，１００    被係止部材
５，１２０    固定手段
８ｂ  側壁部（壁部）
９    連結壁部（壁部）
１１  ビス（固定具）
１１ｂ  雄ネジ部
１３，６２，６５  長孔
２５，５５  厚肉部
１９，４４，５４  雌ネジ部
Ｗ    設置対象
Ｘ    太陽電池の取付構造
【図１Ａ】
2017038106.tif 000003
【図１Ｂ】
2017038106.tif 000004
【図２Ａ】
2017038106.tif 000005
【図２Ｂ】
2017038106.tif 000006
【図３Ａ】
2017038106.tif 000007
【図３Ｂ】
2017038106.tif 000008
【図４】
2017038106.tif 000009
【図５Ａ】
2017038106.tif 000010
【図５Ｂ】
2017038106.tif 000011
【図５Ｃ】
2017038106.tif 000012
【図５Ｄ】
2017038106.tif 000013
【図６Ａ】
2017038106.tif 000014
【図６Ｂ】
2017038106.tif 000015
【図６Ｃ】
2017038106.tif 000016
【図７Ａ】
2017038106.tif 000017
【図７Ｂ】
2017038106.tif 000018
【図８】
2017038106.tif 000019
【図９】
2017038106.tif 000020
【図１０】
2017038106.tif 000021
【図１１】
2017038106.tif 000022
【図１２】
2017038106.tif 000023
【図１３】
2017038106.tif 000024
【国際調査報告】
2017038106.tif 000025
2017038106.tif 000026
2017038106.tif 000027
2017038106.tif 000028